(57)【要約】【課題】  特に、非常用設備として、民間団体や個人、或は、地方自治体などが予め設備しておき、万一の災害時には、必要な場所に容易かつ迅速に搬入してそこで照明用光源として使用できることは勿論、一般電気機器の電源としても容易かつ迅速に使用できるようにした移動型投光器を提供すること。【解決手段】  車輪２を有する台車１と、バッテリと電源回路等を収装した筐状本体３と、伸縮マスト４に設けたライトアッセンブリ６を備えた移動式投光器において、複数のバッテリＢを引出式のバッテリセット容器3bに並べて収容し、当該セット容器3bを前記筐状本体３に出入れ固定自在に装着したこと。【選択図】図１
0003107470.tif 000002
【実用新案登録請求の範囲】
【請求項１】
車輪を有する台車と、バッテリと電源回路等を収装した筐状本体と、伸縮マストに設けたライトアッセンブリを備えた移動式投光器において、複数のバッテリを引出式のバッテリセット容器に並べて収容し、当該容器を前記筐状本体に出入れ固定自在に装着したことを特徴とする組立／分解型の移動式電源兼用投光器。
【請求項２】
電源回路は、バッテリの出力をＤＣ／ＡＣ変換して光源用電源と商用交流電源に切換え利用できるように形成した請求項１の組立／分解型の移動式電源兼用投光器。
【請求項３】
少なくとも台車と筐状本体との各ユニットを、組立，分離自在に形成した請求項１又は２の組立／分解型の移動式電源兼用投光器。
【請求項４】
各ユニットの組立，分離は、バックル，蝶ネジ，カップラーなどによって工具を一切用いることなく行うようにした請求項１〜３のいずれかの組立／分解型の移動式電源兼用投光器。
【請求項５】
台車，筐状本体，ライトアッセンブリ，ハンドルは、アルミニウム材などの軽金属、或は、この金属とプラスチック材などにより形成して、全体の軽量化を図った請求項１〜４のいずれかの組立／分解型の移動式電源兼用投光器。
【考案の詳細な説明】
【技術分野】
【０００１】
本考案は、地震や台風などの災害時に、分解した状態で容易かつ迅速に必要な場所へ搬入して組立て、そこで非常用電源又は非常用光源として使用し、不使用時には分解して次の運搬，組立て使用に備えて格納しておくことができるようにした組立分解型の移動式電源を兼用する投光器に関する。
【背景技術】
【０００２】
従来より移動式投光器は、工事現場や災害現場など、適切な大光量の照明手段がない場所で使用されており公知である。
従来の投光器は、電源のない場所で専門的（工事業者，警察，消防など）に使用されることが多いため、光源部を伸縮式マストにより縮小するだけで組立状態のままであり、また、発動発電機による投光器が大半であるが、発動機を使用しているため、騒音の問題や排気ガスの問題を抱えたままである。
【０００３】
上記のように従来の移動式投光器は、重量が大きく分解してパーツ（ユニット）に分離できるタイプではないため、移動式といっても現場内での移動に止まり、使用場所を変えるには、クレーン等を使って大型トラックの荷台に積載して搬送するしかなかった。従って、従来の大重量で分解できない発動発電機式の移動型投光器は、個々の市民などが民間レベルで使用したり、或は、地方自治体や企業などが災害時などの非常用光源として予め設備して必要とする場所へ容易かつ迅速に運搬することが困難なため、非常用光源として使用するには難点があった。
【０００４】
一方、発動発電機タイプの移動式投光器の問題に対し、バッテリを電源とする投光器も知られているが、従来のバッテリ式投光器も分解式ではない上に、重量も嵩みバッテリの寿命も長くないところから、非常用として民間に予め設備しておくには上述した発動発電式投光器の場合と同様の問題がある。
【考案の開示】
【考案が解決しようとする課題】
【０００５】
本考案は上記のような公知の移動式投光器の問題点、特に、非常用設備として、民間団体や個人、或は、地方自治体などが予め設備しておき、万一の災害時には、必要な場所に容易かつ迅速に搬入してそこで照明用光源として使用できることは勿論、一般電気機器の電源としても容易かつ迅速に使用できるようにした移動型投光器を提供することを、課題とする。
【課題を解決するための手段】
【０００６】
上記課題を解決することを目的としてなされた本考案組立分解型の移動式電源兼用投光器の構成は、車輪を有する台車と、バッテリと電源回路等を収装した筐状本体と、伸縮マストに設けたライトアッセンブリを備えた移動式投光器において、複数のバッテリを引出式のバッテリセット容器に並べて収容し、当該セット容器を前記筐状本体に出入れ固定自在に装着したことを特徴とするものである。ここで、電源回路は、バッテリの出力をＤＣ／ＡＣ変換して光源用電源と商用交流電源に切換え利用できるように形成されている。
【０００７】
本考案投光器は、上記構成において、少なくとも台車と筐状本体との各ユニットを、組立，分離自在に形成することが望ましい。ここで、ライトアッセンブリと台車のハンドルも台車に対して組立，分離自在に形成することがある。また、これらのアッセンブリとハンドルを折畳，組立自在に形成することができる。前記各ユニットの組立，分離は、バックル，蝶ネジ，カップラーなどによって工具を一切用いることなく行うことができる。更に、前記の台車，筐状本体，ライトアッセンブリ，ハンドルは、アルミニウム材などの軽金属、或は、この金属とプラスチック材などにより形成して、全体の軽量化を図ることが望ましい。
【考案の効果】
【０００８】
本考案投光器は、台車に組立，分離自在に塔載した筐状本体にバッテリを収容した引出しセット容器を、出入れ自在に装着したので、不使用時にはバッテリをそのセット容器ごと筐状本体から取外し、別の適切な場所でバッテリの保管やメンテナンスを図ることができる。
【０００９】
また、本考案投光器は、少なくとも台車，筐状本体並びにライトアッセンブリを工具を一切使うことなく分解して格納できる構造としたので、必要なときに分解状態で小型搬送手段で目的の場所に容易かつ迅速に搬入して組立てすぐに使用することができ、また、不使用時には分解状態でスペース効率よく格納しておくことができる。更に、組立，分解には、工具を一切使用しないで組立，分解が可能であるから、有事に際しての運搬製や組立，分解性などの取扱い性が優れている。
【００１０】
このとき、台車や筐状本体などの主要ユニットがアルミ材などの軽量材料により形成されていることにより、組立，分解時の各ユニットの取扱いが楽であることは勿論、分解したままでクレーン等の扛重機を用いず各ユニットを小型トラック等に積載することができ、そのまま搬送できるから、可搬性（移動性）にも優れている。
【考案を実施するための最良の形態】
【００１１】
次に、本考案投光器の実施の形態例について図に拠り説明する。図１は本考案組立，分解型の移動式電源兼用投光器の一例の側面図、図２は図１の投光器の右側面図、図３は図１の投光器の左側面図、図４は図１の本考案投光器を分解したユニットの斜視図である。
【００１２】
図１〜図４において、１は四隅に車輪２を４個配設した台車で、台車１の上面には、後に述べる筐状本体３と、伸縮マスト４の上端部に、ランプ5aを装着した反射傘体５を設けたライトアッセンブリ６と、ハンドル７とが着脱式、つまり、組立，分解自在に設けられているので、以下に組立，分離自在の構造について説明する。
【００１３】
筐状本体３は、好ましくはアルミ製の台車１のフレーム枠1aと左右幅が略同幅（図３参照）で、前後幅（図１参照）を少し小さく形成したアルミ製の筐体3aにより形成され、筐体3aの下半側略１／２の空間に、バッテリＢを４本並べて収容するバッテリセット容器3bを引出し式に出入れ自在に具備しており、筐体3aの外壁の下部とフレーム枠1aの間に、反転式の係止バックル８を設けることにより、台車１に着脱自在に塔載されている。なお、筐体3aの上半部には、図に表われない電源回路が収設されており、当該筐体3aには、操作盤3c、スイッチ盤3d、AC100Vコンセント3eが設けられている。
【００１４】
一方、ライトアッセンブリ６は、伸縮式マスト４のベース筒体4aの下端に設けた、前記フレーム枠1aを上下から挟持するベースブラケット4bを、複数の蝶ナット4cでフレーム枠1aに締込むことにより、当該フレーム枠1aに固定立設されている。従って、蝶ナット4cを緩めると、ベースブラケット4bは図１の右方（図２の紙面に対し手前側）へ引出されてフレーム枠1aから取外すことができる。なお、ベースブラケット4bが装着されるフレーム枠1aの上面には、図に表れないスタッドボルトが植設されており、蝶ナット4cは、このボルトに締込まれてベースブラケット4bをフレーム枠1aに圧着固定する。ベースブラケット4bには前記ボルトを導入する切欠（長孔状）が形成されている。
【００１５】
ハンドル７は、その下端部がフレーム枠1aに設けた軸受状のハンドル支持部1bに回転自在に立設されており、ハンドル軸7aの下端がタイロッド7bを介して左右の車輪２の舵取りレバー2aに連結され、左右の車輪２を操舵するようになっている。
【００１６】
本考案投光器は、上記の構成において、台車１，バッテリセット容器3bを含む筐状本体３，伸縮式マスト４，反射傘体５を含むライトアッセンブリ６，ハンドル７を、一例としてアルミニウム材などの軽量材料により形成して、本考案投光器全体の重量を抑え、移動や格納を行い易くしている。
因みに、鉄鋼材を主体に形成された公知のバッテリ式投光器の場合、総重量が440Kg以上もあるのが通例であるが、本考案投光器の総重量はその約１／２以下、具体的には220Kg前後である。
【００１７】
一方、本考案投光器の電源回路は、バッテリＢの出力を交流に変換するインバータ部を備え、そのインバータ部の出力端が切換部を介してライト5aのスイッチ盤3dとAC100Vコンセント3eに接続されている。ここで、スイッチ盤3dは、２個のライト5aのON，OFFスイッチと、２個のライト5aの一方のみを点灯させる点灯選択スイッチと、ライト点灯回路をOFFしてAC100Vコンセント3eにインバータ部の出力を接続するライト／コンセント切換スイッチとを備えて構成されている。
【産業上の利用可能性】
【００１８】
本考案投光器は以上の通りであって、非常用などの投光器として利用できる一方、スイッチの切換によって通常の商用交流電源としても利用できるので、民間団体や地方自治体などが地震などの災害時の非常用に設置しておく設備としてきわめて有用である。
【００１９】
また、本考案投光器は、その主要構成部材を容易に分解並びに組立することができるので、分解した各構成部材をクレーン等を使用せずにライトバンや小型貨物車に積込み必要とする場所へ搬入し、そこで組立ててそのまま使用することができる。分解状態では、コンパクトにまとめて格納しておき、有事の際に迅速に所定場所へ搬入してそこで組立てればよい。しかも、構成部材をアルミ等の軽量材により形成した本考案投光器では、上記分解，組立時に何らの工具も要しないことと相俟って誰でも容易に分解，組立をする取扱いができるから、非常用の照明光源、或は、電源としてきわめて有用である。
【図面の簡単な説明】
【００２０】
【図１】本考案組立，分解型の移動式電源兼用投光器の一例の側面図。
【図２】図１の投光器の右側面図。
【図３】図１の投光器の左側面図。
【図４】図１の本考案投光器を分解したユニットの斜視図。
【符号の説明】
【００２１】
１    台車
２    車輪
３    筐状本体
４    伸縮式マスト
５    反射傘体
６    ライトアッセンブリ
７    ハンドル
【図１】
0003107470.tif 000003
【図２】
0003107470.tif 000004
【図３】
0003107470.tif 000005
【図４】
0003107470.tif 000006